(57)【特許請求の範囲】
【請求項１】
フランジを有する第１の容器と、フランジを有する第２の容器より成り、第１の容器のフランジに、熱収縮性フィルムから成りかつフランジより外側にマージンを有する蓋をヒートシールし、第１の容器のフランジと第２の容器のフランジを重ね合せ、前記蓋のマージンを熱収縮させて第１と第２の容器のフランジを結合し共通の蓋で閉じたことを特徴とする包装容器。
【発明の詳細な説明】
【０００１】
【産業上の利用分野】
この発明は、包装容器、特にうどんすきの材料などを収納する使い捨ての包装容器に関する。
【０００２】
【従来の技術】
この種の包装形態は、通常アルミニウム箔を成形した容器に、めんや具、薬味、だし汁などを一緒に収納し、合成樹脂製の蓋で閉じるか或はラップフィルムで被って販売されている。
【０００３】
そして、食卓に供する際には、蓋又はラップフィルムを外し、だし汁や具などをめん類と共に容器に入れて火にかけ、適当に煮立てていた。
【０００４】
【発明の課題】
しかしながら、めん類や具、薬味などを一緒に同じ容器に収納するのは、雑然とした感じで外観的に好ましくなく、アルミニウム箔成形容器では、分別収納のための仕切り壁を設けることも出来ない。
【０００５】
また、具として用いられる野菜と生めんなどを同一個所に収納すると鮮度保持の面でも好ましくない。
【０００６】
さらに、同じ容器（鍋）に全ての内容物を投入して煮るため、例えば具を適当に追加しながら鍋ものを楽しむことができない（そのためには、別途、容器を用意しておく必要があり、屋外などでは困難である）。
【０００７】
上記の様な種々の問題は、複数の容器を用意して分別収納することにより解決できるが、それぞれの容器の包装や、これらの容器をまとめるための包装などに手間がかかり、また嵩だかになる問題が生じる。
【０００８】
そこで、この発明の課題は、完全に分離された二個の容器を一個の包装形態にすることである。
【０００９】
【課題の解決手段】
上記の課題を解決するため、この発明の包装容器は、フランジを有する第１の容器と、フランジを有する第２の容器より成り、第１の容器のフランジに、熱収縮性フィルムから成りかつそのフランジより外側にマージンを有する蓋をヒートシールし、第１の容器のフランジと第２の容器のフランジを重ね合せ、前記蓋のマージンを熱収縮させて第１と第２の容器のフランジを結合し共通の蓋で閉じたことを特徴とする。
【００１２】
【作用】
第１の容器に蓋がヒートシールされているので、第１と第２の容器は完全に分離されている。そして、フランジを互に重ね合せて結合したので、一個の包装形態となり、取り扱いに便利である。
【００１３】
また、一方の容器を鍋として使用すると、他方の容器から具などを追加しながら煮焚きできる。
【００１４】
【実施例】
以下、この発明の実施例を添付図面に基づいて説明する。
【００１５】
図１に示すように、この発明の包装容器は、第１の容器１０と第２の容器２０より成る。
【００１６】
前記第１の容器１０は、底壁１１及び周壁１２を有し、周壁１２の上端の開口部周縁には、フランジ１３が設けられている。
【００１７】
前記第２の容器２０も同様に底壁２１及び周壁２２を有し、周壁２２の上端の開口部周縁には、フランジ２３が設けられている。
【００１８】
前記第１の容器１０と第２の容器２０の形状は、円形、楕円形、多角形など任意であるがほぼ同形状が好ましく、またサイズは、後述するように上記フランジ１３と２３が重なり合う大きさにする。
【００１９】
なお、容器１０と２０と材料は、合成樹脂、紙、ガラス、金属箔などの単体又は複合体が用いられるが、例えば容器１０は合成樹脂シートの成形品、容器２０はアルミニウム箔の成形品である。
【００２０】
前記第１の容器１０に内容物、例えばだし汁、具、薬味などを収納した後、熱収縮性フィルムから成る蓋３０をフランジ１３にヒートシールする。図中、符号３１はヒートシール部、３２はフランジ１３よりも外側に延びるマージンである。
【００２１】
熱収縮性フィルムとしては、延伸ポリプロピレンや延伸ポリスチレンなどが用いられる。また、蓋３０の形状は、容器１０のフランジ１３の形状に合せて形成すればよいが、例えば容器１０が円形であれば、図２に示すように、全体として円形にしてもよいが、図３に示すように、マージン３２の部分を花びら等の適宜形状に形成することができる。勿論ヒートシール部３１はフランジ１３の形状に合わせる必要がある。
【００２２】
次に、第２の容器２０に例えば生めんを収納し、図４に示すように、第１の容器１０を逆にしてそのフランジ１３を第２の容器２０のフランジ２３に重ね合せ、容器１０を容器２０の開口部に載置する。そして重ね合わされたフランジ１３、２３の周囲から熱風を吹きつけ、蓋３０のマージン３２を収縮させ、フランジ２３に巻き付かせる。これによって、フランジ１３とフランジ２３が連結され、第２の容器２０の開口部も蓋３０によって閉じられる。
【００２３】
このようにして、第１の容器１０と第２の容器２０は、一個の包装形態を形成し、蓋３０は両方の容器１０と２０の開口部を閉じる共通の蓋となる。
【００２４】
図５に示すように、第１の容器１０を第２の容器２０よりもサイズを小さくし、第２の容器２０に嵌り込むようにフランジ１３と２３を重ね合せ、前述と同様に蓋３０のマージン３２を収縮させてフランジ２３に巻き付かせ、フランジ１３と２３を連結し、一個の包装形態としてもよい。
【００２５】
図６は他の実施例を示す。図示のように、第１の容器１０を熱収縮性シートで形成し、そのフランジ１３の外周から延びるスカート部１４を設ける。そして、フランジ１３に蓋３０ａをヒートシールする。この蓋３０ａは、熱収縮性を有しない材質であり、前述のようなマージン３２（図１乃至図４）を設ける必要はない。第２の容器２０は、図１のものと同様でよい。
【００２６】
そして、図７に示すように、第１の容器１０を逆にしてそのフランジ１３を第２の容器２０のフランジ２３に重ね合せ、スカート部１４に熱風を吹きつけて収縮させると、スカート部１４はフランジ２３に巻き付きフランジ１３と２３が連結され、一個の包装形態となる。
【００２７】
図８に示すように、スカート部１４を図６と逆方向に形成し、図９に示すように、第１の容器１０を第２の容器２０内に嵌め込み、スカート部１４を加熱収縮させて両容器１０と２０を結合してもよい。
【００２８】
図１０に示すように、図１と同様の容器１０と２０を用意し、図６と同様の蓋３０ａを容器１０のフランジ１３にヒートシールする。そして、図１１に示すように、容器１０を逆にしてそのフランジ１３を容器２０のフランジ２３に重ね合せ、図１２に示すように、フランジ１３と２３の周囲に熱収縮性フィルム帯４０を巻き付けるか或は熱収縮性フィルムから成るリング４０を嵌挿し、このフィルム帯又はリング４０を加熱収縮させてフランジ１３とフランジ２３を連結することもできる。
【００２９】
勿論、この場合も、図５及び図９に示すように、容器１０を容器２０の内部に嵌め込んでもよい。
【００３０】
【効果】
この発明によれば、以上のように、第１の容器と第２の容器のフランジの一方に蓋をヒートシールし、両者を重ね合せて熱収縮性フィルムで両フランジを結合したので、蓋によって両容器が完全に分離されていながら一体の包装容器となり、例えば具とめん類を別途収納することにより、鮮度保持が良好となり、かつ外観的にも好ましく、一体包装に必要な熱収縮性フィルムもわずかで足りるばかりでなく堅固に一体化できる。
【００３１】
また、例えばだし汁と具をめん類とは別の工場又は業者が包装し、両者を合体させて販売することが可能となる。
【００３２】
そのほか、食卓に供する場合も、別の容器を用意しなくても、一方の容器から具などを他方の容器（鍋）に追加しながら楽しむことができる。
【図面の簡単な説明】
【図１】この発明の包装容器の一例を示す分解縦断面図
【図２】第１の容器の蓋を示す平面図
【図３】同上の他の例を示す平面図
【図４】この発明の包装容器の一例を示す組立て縦断面図
【図５】同上の他の例を示す組立て縦断面図
【図６】この発明の包装容器の他の例を示す分解縦断面図
【図７】同上の組立て縦断面図
【図８】この発明の包装容器のさらに他の例を示す分解縦断面図
【図９】同上の組立て縦断面図
【図１０】この発明の包装容器のまたさらに他の例を示す分解縦断面図
【図１１】同上の組立て縦断面図
【図１２】同上の平面図
【符号の説明】
１０  第１の容器
１１  底壁
１２  周壁
１３  フランジ
１４  スカート部
２０  第２の容器
２１  底壁
２２  周壁
２３  フランジ
３０  蓋
３０ａ  蓋
３１  ヒートシール部
３２  マージン
４０  熱収縮フィルム帯又はリング
【図１】
0003574208.tif 000002
【図２】
0003574208.tif 000003
【図３】
0003574208.tif 000004
【図４】
0003574208.tif 000005
【図５】
0003574208.tif 000006
【図６】
0003574208.tif 000007
【図７】
0003574208.tif 000008
【図８】
0003574208.tif 000009
【図９】
0003574208.tif 000010
【図１０】
0003574208.tif 000011
【図１１】
0003574208.tif 000012
【図１２】
0003574208.tif 000013